【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
ユーザに推奨を提供するための方法であって、前記方法は、
複数のユーザ機器装置との前記ユーザの対話をモニタするステップであって、前記複数のユーザ機器装置のそれぞれは、それぞれの双方向メディアガイダンスアプリケーションを実現し、サーバと通信し、前記ユーザ機器装置のそれぞれは、メディアネットワークの一部である、ステップと、
前記複数のユーザ機器装置のそれぞれとの前記ユーザのモニタされた対話に関する情報を含む前記サーバユーザプロファイル情報を保存するステップと、
前記保存されたユーザプロファイル情報に基づいてメディアコンテンツを特定するステップと、
前記サーバから前記メディアネットワークの前記複数のユーザ機器装置のうちの少なくとも１つのいずれかに、前記特定されたメディアコンテンツの推奨を通信するステップと、を備える、方法。
【請求項２】
メディアコンテンツを特定するステップは、前記推奨が通信される前記ユーザ機器装置に少なくとも部分的に基づいて、メディアコンテンツを特定するステップを備える、請求項１に記載の方法。
【請求項３】
前記推奨は、前記複数のユーザ機器装置のうちの、前記特定されたメディアコンテンツにアクセスするために最適なリソースを有するユーザ機器装置に通信される、請求項１に記載の方法。
【請求項４】
前記保存されたユーザプロファイル情報は、第１のタイプの装置との前記ユーザのモニタされた対話に関する情報を備え、
メディアコンテンツを特定するステップは、前記第１のタイプの装置との前記ユーザのモニタされた対話に関する前記情報に基づいて、メディアコンテンツを特定するステップを含み、
ユーザ機器装置に推奨を通信するステップは、第２のタイプのユーザ機器装置に推奨を通信するステップを備える、請求項１に記載の方法。
【請求項５】
推奨を通信するステップは、前記特定されたメディアコンテンツを特定する前記メディアネットワークのユーザ機器装置にメッセージを通信するステップを備える、請求項１に記載の方法。
【請求項６】
推奨を通信するステップは、前記特定されたメディアコンテンツを録画する前記メディアネットワークのユーザ機器装置にコマンドを通信するステップを備える、請求項１に記載の方法。
【請求項７】
メディアコンテンツを特定するステップは、前記ユーザプロファイル情報に従って、前記ユーザが視聴したことのないメディアコンテンツを特定するステップを備える、請求項１に記載の方法。
【請求項８】
推奨をユーザに提供するためのメディアガイダンスシステムであって、前記システムは、
少なくとも部分的に回路で実現される双方向メディアガイダンスアプリケーションを備え、前記回路は、
複数のユーザ機器装置との前記ユーザの対話をモニタし、前記複数のユーザ機器装置のそれぞれが、それぞれの双方向メディアガイダンスアプリケーションを実現し、サーバと通信し、前記ユーザ機器装置のそれぞれが、メディアネットワークの一部であり、
前記複数のユーザ機器装置のそれぞれとの前記ユーザのモニタされた対話に関する情報を含む前記サーバユーザプロファイル情報を保存し、
前記保存されたユーザプロファイル情報に基づいてメディアコンテンツを特定し、
前記サーバから前記複数のネットワークのユーザ機器装置の少なくとも１つのいずれかに前記特定されたメディアコンテンツの推奨を通信するように構成される、システム。
【請求項９】
メディアコンテンツを特定するように構成される前記回路は、前記推奨が通信される前記ユーザ機器装置に少なくとも部分的に基づいて、メディアコンテンツを特定するように構成される、請求項８に記載のシステム。
【請求項１０】
前記推奨を通信するように構成される前記回路は、前記複数のユーザ機器装置のうちの、前記特定されたメディアコンテンツにアクセスするために最適なリソースを有するユーザ機器装置に前記推奨を通信するように構成される、請求項８に記載のシステム。
【請求項１１】
前記保存されたユーザプロファイル情報は、第１のタイプの装置との前記ユーザのモニタされた対話に関する情報を備え、
メディアコンテンツを特定するように構成される前記回路は、前記第１のタイプの装置との前記ユーザのモニタされた対話に関する前記情報に基づいて、メディアコンテンツを特定するように構成され、
ユーザ機器装置に推奨を通信するように構成される前記回路は、第２のタイプのユーザ機器装置に推奨を通信するように構成される、請求項８に記載のシステム。
【請求項１２】
推奨を通信するように構成される前記回路は、前記特定されたメディアコンテンツを特定する前記メディアネットワークのユーザ機器装置にメッセージを通信するように構成される、請求項８に記載のシステム。
【請求項１３】
推奨を通信するように構成される前記回路は、前記メディアネットワークのユーザ機器装置にコマンドを通信して、前記識特定されたメディアコンテンツを録画する、請求項８に記載のシステム。
【請求項１４】
メディアコンテンツを特定するように構成される前記回路は、前記ユーザプロファイル情報に従って、前記ユーザが視聴したことのないメディアコンテンツを特定するように構成される、請求項８に記載のシステム。
【手続補正２】
【補正対象書類名】明細書
【補正対象項目名】００１２
【補正方法】変更
【補正の内容】
【００１２】
ネットワークのサーバを使用して、ユーザプロファイル情報をメディアネットワークのユーザ機器装置に提供するための方法およびシステムも提供される。複数のユーザ機器装置を含むユーザメディアネットワークに対するユーザプロファイル情報は、ユーザプロファイルサーバ上に保管され得る。ユーザプロファイル情報を有しない装置が識別される場合があり、ユーザプロファイル情報が装置に伝送され得る。装置のタイプが判断される場合があり、サーバ上に保管され、装置のタイプに対応するユーザプロファイル情報が識別されて、装置に伝送され得る。
例えば、本発明は以下の項目を提供する。
（項目１）
ユーザのメディアネットワークにおける複数のユーザ機器装置の中で最適なユーザ機器装置でメディアコンテンツを録画するための方法であって、
上記複数のユーザ機器装置のそれぞれのリソースを説明するサーバ情報を保存するステップと、
上記メディアコンテンツを録画する複数のユーザ機器装置のユーザ機器装置に対する指示を受信するステップと、
リソースを説明する上記保管された情報に基づいて、上記ユーザのメディアネットワークにおけるユーザ機器装置から、上記メディアコンテンツを録画するために最適な上記リソースを有する上記ユーザ機器装置を特定するステップと、
サーバから上記特定されたユーザ機器装置にメッセージを伝送して、上記メディアコンテンツを録画するステップと、を備える、方法。
（項目２）
上記メディアコンテンツを録画するために最適なリソースを有するユーザ機器装置を特定するステップは、
上記メディアコンテンツを録画する複数のユーザ機器装置の少なくとも１つのユーザ機器装置の利用可能性を判定するステップと、
上記複数のユーザ機器装置の少なくとも１つのユーザ機器装置の利用可能性に少なくとも部分的に基づいて、上記メディアコンテンツを録画するために最適なリソースを有するユーザ機器装置を特定するステップと、を備える、項目１に記載の方法。
（項目３）
ユーザ機器装置の利用可能性を判定するステップは、録画される上記メディアコンテンツが録画される時に、上記ユーザ機器装置が使用される予定であるかどうかを判定するステップを備える、項目２に記載の方法。
（項目４）
上記複数のユーザ機器装置のそれぞれのリソースを説明する情報を保存するステップは、各装置で利用可能な記憶容量、上記メディアコンテンツが録画される時に各装置で利用可能になる記憶容量、各装置の現状、上記メディアコンテンツが録画される時に予想される各装置の状態、および各装置の録画解像能のうちの少なくとも１つに関連する情報を保存する、ステップを備える、項目１に記載の方法。
（項目５）
メディアコンテンツを録画する指示を受信するステップは、ユーザ機器装置によって生成されたメディアコンテンツを録画する指示を受信するステップを備える、項目１に記載の方法。
（項目６）
メディアコンテンツを録画する指示を受信するステップは、一連のテレビ番組を録画する指示を受信するステップを備える、項目１に記載の方法。
（項目７）
上記メディアコンテンツを録画するために最適なリソースを有するユーザ機器装置を特定するステップは、上記一連のテレビ番組全体を録画するために最適なリソースを有するユーザ機器を特定するステップを備える、項目６に記載の方法。
（項目８）
上記メディアコンテンツを録画するために最適なリソースを有するユーザ機器装置を特定するステップは、上記一連のテレビ番組の少なくとも１つのエピソードを録画するために最適なリソースを有するユーザ機器を特定するステップを備える、項目６に記載の方法。
（項目９）
上記要求を実行するために最適なリソースを有するユーザ機器装置を特定するステップは、上記ユーザのメディアネットワークにおけるユーザ機器装置の中から、連続録画を実行できるユーザ機器装置を特定するステップを備える、項目６に記載の方法。
（項目１０）
メディアコンテンツを録画する指示を受信するステップは、上記複数のユーザ機器装置のうちのユーザ機器装置から指示を受信するステップを備える、項目１に記載の方法。
（項目１１）
メディアコンテンツを録画する指示を受信するステップは、上記ユーザのメディアネットワークの一部でない装置から指示を受信するステップを備える、項目１に記載の方法。
（項目１２）
指示を受信するステップは、特定のユーザ機器装置で上記メディアコンテンツを録画する指示を受信するステップを備える、項目１に記載の方法。
（項目１３）
上記特定のユーザ機器装置が、上記メディアコンテンツを録画するために最適なリソースを有するユーザ機器装置でない場合に、上記ユーザに通知するステップをさらに備える、項目１２に記載の方法。
（項目１４）
上記メディアコンテンツを録画する上記特定のユーザ機器装置以外のユーザ機器装置の指示を受信するステップをさらに備える、項目１３に記載の方法。
（項目１５）
上記ユーザに対して、上記メディアコンテンツを録画するために最適なリソースを有するユーザ機器装置を特定するステップをさらに備える、項目１に記載の方法。
（項目１６）
上記特定されたユーザ機器装置は、双方向番組ガイドを実現する、項目１に記載の方法。
（項目１７）
ユーザのメディアネットワークにおける複数のユーザ機器装置の中で最適なユーザ機器装置でメディアコンテンツを録画するためのメディアガイダンスシステムであって、
少なくとも部分的に回路で実現される双方向メディアガイダンスアプリケーションを含み、上記回路は、
上記複数のユーザ機器装置のそれぞれのリソースを説明するサーバ情報を保存し、
上記複数のユーザ機器装置のうちのユーザ機器装置に対するメディアコンテンツを録画する指示を受信し、
リソースを説明する上記保存された情報に基づいて、上記ユーザのメディアネットワークにおける上記ユーザ機器装置の中から、上記メディアコンテンツを録画するために最適なリソースを有するユーザ機器装置を特定し、
上記サーバから上記特定されたユーザ機器装置にメッセージを伝送して上記メディアコンテンツを録画するように構成される、システム。
（項目１８）
上記メディアコンテンツを録画するために最適なリソースを有するユーザ機器装置を特定するように構成される上記回路は、
上記メディアコンテンツを録画する複数のユーザ機器装置のうちの少なくとも１つの利用可能性を判定して、
上記複数のユーザ機器装置のうちの少なくとも１つの利用可能性に少なくとも部分的に基づいて、上記メディアコンテンツを録画するために最適なリソースを有するユーザ機器装置を特定するように構成される、項目１７に記載のシステム。
（項目１９）
ユーザ機器装置の利用可能性を判定するように構成される上記回路は、録画される上記メディアコンテンツが利用可能になる時に、上記ユーザ機器装置が使用される予定であるかどうかを判定するように構成される、項目１８に記載のシステム。
（項目２０）
上記複数のユーザ機器装置のそれぞれのリソースを説明する情報を保存するように構成される上記回路は、各装置で利用可能な記憶容量、上記メディアコンテンツが録画される時に各装置で利用可能になる記憶容量、各装置の現状、上記メディアコンテンツが録画される時に予想される各装置の状態、および各装置の録画解像能のうちの少なくとも１つに関連する情報を保存するように構成される、項目１７に記載のシステム。
（項目２１）
メディアコンテンツを録画する指示を受信するように構成される上記回路は、ユーザ機器装置によって生成されるメディアコンテンツを録画する指示を受信するように構成される、項目１７に記載のシステム。
（項目２２）
メディアコンテンツを録画する指示を受信するように構成される上記回路は、一連のテレビ番組を録画する指示を受信するように構成される、項目１７に記載のシステム。
（項目２３）
上記メディアコンテンツを録画するために最適なリソースを有するユーザ機器装置を特定するように構成される上記回路は、上記一連のテレビ番組全体を録画するために最適なリソースを有するユーザ機器を特定するように構成される、項目２２に記載のシステム。
（項目２４）
メディアコンテンツを録画するために最適なリソースを有するユーザ機器装置を特定するように構成される上記回路は、上記一連のテレビ番組の少なくとも１つのエピソードを録画するために最適なリソースを有するユーザ機器を特定するように構成される、項目２２に記載のシステム。
（項目２５）
上記要求を実行するために最適なリソースを有するユーザ機器装置を識別するように構成される上記回路は、ユーザのメディアネットワークにおけるユーザ機器装置の中から、連続録画を実行できるユーザ機器装置を特定するように構成される、項目２２に記載のシステム。
（項目２６）
メディアコンテンツを録画する指示を受信するように構成される上記回路は、上記複数のユーザ機器装置のうちのユーザ機器装置から指示を受信するように構成される、項目１７に記載のシステム。
（項目２７）
メディアコンテンツを録画する指示を受信するように構成される上記回路は、上記ユーザのメディアネットワークの一部でない装置から指示を受信するように構成される、項目１７に記載のシステム。
（項目２８）
指示を受信するように構成される上記回路は、特定のユーザ機器装置で上記メディアコンテンツを録画する指示を受信するように構成される、項目１７に記載のシステム。
（項目２９）
上記回路は、
上記特定のユーザ機器装置が、上記メディアコンテンツを録画するために最適なリソースを有するユーザ機器装置でない場合に、上記ユーザに通知するようにさらに構成される、項目２８に記載のシステム。
（項目３０）
上記回路は、
上記メディアコンテンツを録画する上記特定のユーザ機器装置以外のユーザ機器装置の指示を受信するようにさらに構成される、項目２９に記載のシステム。
（項目３１）
上記回路は、
上記ユーザに対して、メディアコンテンツを録画するために最適なリソースを有するユーザ機器装置を特定するようにさらに構成される、項目１７に記載のシステム。
（項目３２）
上記特定されたユーザ機器装置は、双方向番組ガイドを実現する、項目１７に記載のシステム。
（項目３３）
メディアネットワークの複数のユーザ機器装置とのユーザのモニタされた対話に基づいて、双方向メディアガイダンスアプリケーションを使用して、上記ユーザに推奨を提供するための方法であって、
上記複数のユーザ機器装置との上記ユーザのモニタされた対話に関する情報を含むサーバユーザプロファイル情報を保存するステップと、
上記保存されたユーザプロファイル情報に基づいてメディアコンテンツを特定するステップと、
上記サーバから上記ネットワークのユーザ機器装置に上記特定されたメディアコンテンツの推奨を伝送するステップと、を備える、方法。
（項目３４）
メディアコンテンツを特定するステップは、推奨が伝送されるユーザ機器装置に少なくとも部分的に基づいて、メディアコンテンツを特定するステップを備える、項目３３に記載の方法。
（項目３５）
メディアコンテンツを識別するステップは、上記推奨が伝送されるユーザ機器装置のリソースに少なくとも部分的に基づいて、メディアコンテンツを特定するステップを備える、項目３３に記載の方法。
（項目３６）
メディアコンテンツを特定するステップは、上記推奨が伝送されるユーザ機器装置の状態に部分的に基づいて、メディアコンテンツを特定するステップを備える、項目３３に記載の方法。
（項目３７）
上記推奨は、上記複数のユーザ機器装置のうちの、上記特定されたメディアコンテンツにアクセスするために最適なリソースを有するユーザ機器装置に伝送される、項目３３に記載の方法。
（項目３８）
ユーザプロファイル情報を保存するステップは、第１のタイプのユーザ機器装置との上記ユーザのモニタされた対話に関する情報を保存するステップを備える、項目３３に記載の方法。
（項目３９）
上記推奨が伝送されるユーザ機器装置は、上記第１のタイプのユーザ機器装置である、項目３８に記載の方法。
（項目４０）
上記保存されたユーザプロファイル情報は、第１のタイプの装置との上記ユーザのモニタされた対話に関する情報を含み、
メディアコンテンツを特定するステップは、上記第１のタイプの装置との上記ユーザのモニタされた対話に関する上記情報に基づいて、メディアコンテンツを特定するステップを含み、
ユーザ機器装置に推奨を伝送するステップは、第２のタイプのユーザ機器装置に推奨を伝送するステップを備える、項目３３に記載の方法。
（項目４１）
推奨を伝送するステップは、上記識別されたメディアコンテンツを特定する上記ネットワークのユーザ機器装置にメッセージを伝送するステップを備える、項目３３に記載の方法。
（項目４２）
推奨を伝送するステップは、上記特定されたメディアコンテンツを録画する上記ネットワークのユーザ機器装置にコマンドを伝送するステップを備える、項目３３に記載の方法。
（項目４３）
推奨を伝送するステップは、上記ネットワークのユーザ機器装置にコマンドを伝送して、上記特定されたメディアコンテンツのための連続録画を設定するステップを備える、項目３３に記載の方法。
（項目４４）
メディアコンテンツを特定するステップは、上記ユーザプロファイル情報に従って、上記ユーザが視聴したことのないメディアコンテンツを特定するステップを備える、項目３３に記載の方法。
（項目４５）
メディアコンテンツを特定するステップは、アクセス料を必要とするメディアコンテンツを特定するステップを備える、項目３３に記載の方法。
（項目４６）
メディアコンテンツを特定するステップは、上記ユーザの関心を引きやすいメディアコンテンツを特定するステップを備える、項目３３に記載の方法。
（項目４７）
上記推奨が伝送される上記ユーザ機器装置は、双方向番組ガイドを実現する、項目３３に記載の方法。
（項目４８）
メディアネットワークの複数のユーザ機器装置とのユーザのモニタされた対話に基づいて、双方向メディアガイダンスアプリケーションを使用して、推奨を上記ユーザに提供するためのメディアガイダンスシステムであって、
少なくとも部分的に回路で実現される双方向メディアガイダンスアプリケーションを含み、上記回路は、
上記複数のユーザ機器装置との上記ユーザのモニタされた対話に関する情報を含むサーバユーザプロファイル情報を保存し、
上記保管されたユーザプロファイル情報に基づいてメディアコンテンツを特定し、
上記サーバから上記ネットワークのユーザ機器装置に上記識別されたメディアコンテンツの推奨を伝送するように構成される、システム。
（項目４９）
メディアコンテンツを特定するように構成される上記回路は、上記推奨が伝送される上記ユーザ機器装置に少なくとも部分的に基づいて、メディアコンテンツを特定するように構成される、項目４８に記載のシステム。
（項目５０）
メディアコンテンツを特定するように構成される上記回路は、上記推奨が伝送される上記ユーザ機器装置のリソースに少なくとも部分的に基づいて、メディアコンテンツを特定するように構成される、項目４８に記載のシステム。
（項目５１）
メディアコンテンツを識別するように構成される上記回路は、上記推奨が伝送されるユーザ機器装置の状態に少なくとも部分的に基づいて、メディアコンテンツを特定するように構成される、項目４８に記載のシステム。
（項目５２）
上記推奨を伝送するように構成される上記回路は、上記複数のユーザ機器装置のうちの、上記特定されたメディアコンテンツにアクセスするために最適なリソースを有するユーザ機器装置に上記推奨を伝送するように構成される、項目４８に記載のシステム。
（項目５３）
ユーザプロファイル情報を保存するように構成される上記回路は、第１のタイプのユーザ機器装置との上記モニタされたユーザ対話に関する情報を保存するように構成される、項目４８に記載のシステム。
（項目５４）
上記推奨を伝送するように構成される上記回路は、上記第１のタイプのユーザ機器装置に上記推奨を伝送するように構成される、項目５３に記載のシステム。
（項目５５）
上記保存されたユーザプロファイル情報は、第１のタイプの装置との上記ユーザのモニタされた対話に関する情報を備え、
メディアコンテンツを特定するように構成される上記回路は、上記第１のタイプの装置との上記ユーザのモニタされた対話に関する上記情報に基づいて、メディアコンテンツを特定するように構成され、
ユーザ機器装置に推奨を伝送するように構成される上記回路は、第２のタイプのユーザ機器装置に推奨を伝送するように構成される、項目４８に記載のシステム。
（項目５６）
推奨を伝送するように構成される上記回路は、上記特定されたメディアコンテンツを特定する上記ネットワークのユーザ機器装置にメッセージを伝送するように構成される、項目４８に記載のシステム。
（項目５７）
推奨を伝送するように構成される上記回路は、上記ネットワークのユーザ機器装置にコマンドを伝送して、上記特定されたメディアコンテンツを録画する、項目４８に記載のシステム。
（項目５８）
推奨を伝送するように構成される上記回路は、上記ネットワークのユーザ機器装置にコマンドを伝送して、上記特定されたメディアコンテンツのための連続録画を設定するように構成される、項目４８に記載のシステム。
（項目５９）
メディアコンテンツを特定するように構成される上記回路は、上記ユーザプロファイル情報に従って、上記ユーザが視聴したことのないメディアコンテンツを特定するように構成される、項目４８に記載のシステム。
（項目６０）
メディアコンテンツを特定するように構成される上記回路は、アクセス料を必要とするメディアコンテンツを特定するように構成される、項目４８に記載のシステム。
（項目６１）
メディアコンテンツを特定するように構成される上記回路は、上記ユーザの関心を引く可能性のあるメディアコンテンツを特定するように構成される、項目４８に記載のシステム。
（項目６２）
上記推奨が伝送される上記ユーザ機器装置は、双方向番組ガイドを実現する、項目４８に記載のシステム。
（項目６３）
ネットワークのサーバを使用して、ユーザプロファイル情報を上記メディアネットワークの新しいユーザ機器装置に提供するための方法であって、
ユーザプロファイル情報を上記サーバ上に保存するステップであって、上記保存されたユーザプロファイル情報は、上記ネットワークの第１のユーザ機器装置から受信される情報を含む、ステップと、
上記ネットワークの上記新しいユーザ機器装置が、上記保存されたユーザプロファイル情報を有しないことを検出するステップと、
上記保存されているユーザプロファイル情報の少なくとも一部を上記検出された新しいユーザ機器装置に伝送するステップと、を備える、方法。
（項目６４）
上記新しいユーザ機器装置は、上記第１のユーザ機器装置とは異なるタイプである、項目６３に記載の方法。
（項目６５）
上記検出された新しいユーザ機器装置に伝送される上記ユーザプロファイル情報は、上記新しいユーザ機器装置のタイプに関連する上記情報を備える、項目６４に記載の方法。
（項目６６）
第１のタイプの装置に関連する上記保存されたユーザプロファイル情報の少なくとも一部を、第２のタイプの装置に関連するユーザプロファイル情報に変換するステップをさらに備える、項目６５に記載の方法。
（項目６７）
上記サーバ上に保存された上記ユーザプロファイル情報を上記ネットワークの上記第１のユーザ機器装置からのユーザプロファイル情報に同期させるステップをさらに備える、項目６３に記載の方法。
（項目６８）
上記新しいユーザ機器装置が上記保存されたユーザプロファイル情報を有しないことを検出するステップは、上記新しいユーザ機器装置からの上記保存されたユーザプロファイル情報の要求を受信するステップを備える、項目６３に記載の方法。
（項目６９）
上記新しいユーザ機器装置が上記保存されたユーザプロファイル情報を有しないことを検出するステップは、上記新しい装置が上記ネットワークに追加されたことを検出するステップを備える、項目６３に記載の方法。
（項目７０）
上記新しいユーザ機器装置が上記保存されたユーザプロファイル情報を有しないことを検出するステップは、上記ユーザプロファイル情報に関連するユーザが上記新しいユーザ機器装置にログオンしたことを検出するステップを備える、項目６３に記載の方法。
（項目７１）
上記ユーザプロファイル情報に関連する上記検出された新しいユーザ機器装置メディアコンテンツに伝送するステップをさらに備える、項目６３に記載の方法。
（項目７２）
上記サーバに保存される上記ユーザプロファイル情報は、ユーザ個人化データを備える、項目６３に記載の方法。
（項目７３）
上記サーバに保存される上記ユーザプロファイル情報は、ユーザ構成情報を備える、項目６３に記載の方法。
（項目７４）
上記検出された新しいユーザ機器装置に、デフォルトのユーザプロファイル情報を伝送するステップをさらに備える、項目６３に記載の方法。
（項目７５）
上記新しいユーザ機器装置は、双方向番組ガイドを実現する、項目６３に記載の方法。
（項目７６）
ネットワークのサーバを使用して、上記メディアネットワークの新しいユーザ機器装置にユーザプロファイル情報を提供するためのメディアガイダンスシステムであって、
少なくとも部分的に回路で実現される双方向メディアガイダンスアプリケーションを備え、上記回路は、
ユーザプロファイル情報を上記サーバ上に保存し、上記保存されたユーザプロファイル情報は、上記ネットワークの第１のユーザ機器装置から受信される情報を含み、
上記ネットワークの上記新しいユーザ機器装置が、上記保存されたユーザプロファイル情報を有しないことを検出し、
上記保存されたユーザプロファイル情報の少なくとも一部を、上記検出された新しいユーザ機器装置に伝送するように構成される、システム。
（項目７７）
上記新しいユーザ機器装置は、上記第１のユーザ機器装置とは異なるタイプである、項目７６に記載のシステム。
（項目７８）
上記検出された新しいユーザ機器装置に伝送される上記ユーザプロファイル情報は、上記新しいユーザ機器装置のタイプに関連する上記情報を含む、項目７７に記載のシステム。
（項目７９）
第１のタイプの装置に関連する上記保存されたユーザプロファイル情報の少なくとも一部を第２のタイプの装置に関連するユーザプロファイル情報に変換するように構成される回路をさらに備える、項目７８に記載のシステム。
（項目８０）
上記サーバ上に保存される上記ユーザプロファイルを上記ネットワークの上記第１のユーザ機器装置からのユーザプロファイルに同期させるように構成される回路をさらに備える、項目７６に記載のシステム。
（項目８１）
上記新しいユーザ機器装置が、上記保存されたユーザプロファイル情報を有しないことを検出するように構成される上記回路は、上記保存されたユーザプロファイル情報の要求を、上記新しいユーザ機器装置から受信するように構成される、項目７６に記載のシステム。
（項目８２）
上記新しいユーザ機器装置が、上記保存されたユーザプロファイル情報を有しないことを検出するように構成される上記回路は、上記新しい装置が上記ネットワークに追加されたことを検出するように構成される、項目７６に記載のシステム。
（項目８３）
上記新しいユーザ機器装置が、上記保存されたユーザプロファイル情報を有しないことを検出するように構成される上記回路は、上記ユーザプロファイル情報に関連するユーザが、上記新しいユーザ機器装置にログオンしたことを検出するように構成される、項目７６に記載のシステム。
（項目８４）
上記検出された新しいユーザ機器装置に、上記ユーザプロファイル情報に関連するメディアコンテンツを伝送するように構成される回路をさらに備える、項目７６に記載のシステム。
（項目８５）
上記サーバ上に保存される上記ユーザプロファイル情報は、ユーザ個人化データを含む、項目７６に記載のシステム。
（項目８６）
上記サーバ上に保存される上記ユーザプロファイル情報は、ユーザ構成情報を含む、項目７６に記載のシステム。
（項目８７）
上記検出された新しいユーザ機器装置に、デフォルトのユーザプロファイル情報を伝送するように構成される回路をさらに備える、項目７６に記載のシステム。
（項目８８）
上記新しいユーザ機器装置は、双方向番組ガイドを実現する、項目７６に記載のシステム。
（項目８９）
上記ユーザ機器装置のタイプに基づいて、ユーザプロファイル情報をメディアネットワークの上記ユーザ機器装置に提供するための方法であって、
ユーザプロファイル情報をサーバ上に保存するステップであって、上記保存されるユーザプロファイル情報は、複数のタイプのユーザ機器装置に関連したユーザ個人化データを含む、ステップと、
複数のタイプのユーザ機器装置の中から、第１のユーザ機器装置のタイプを判定するステップと、
上記第１のユーザ機器装置のタイプに関連した上記ユーザ個人化データを特定するステップと、
上記第１のユーザ機器装置に、上記特定されたユーザ個人化データを伝送するステップと、を備える、方法。
（項目９０）
第１のタイプの装置に関連する上記保存されたユーザ個人化データの少なくとも一部を、第２のタイプの装置に関連するユーザ個人化データに変換するステップをさらに備える、項目８９に記載の方法。
（項目９１）
上記サーバ上に保存された上記ユーザプロファイル情報を、上記ネットワークの複数のユーザ機器装置からのユーザプロファイル情報に同期させるステップをさらに備える、項目８９に記載の方法。
（項目９２）
上記第１のユーザ機器装置は、上記保存されたユーザプロファイル情報のいずれも有しない新しいユーザ機器装置である、項目８９に記載の方法。
（項目９３）
上記サーバ上に保存される上記ユーザプロファイル情報は、ユーザ構成情報を備える、項目８９に記載の方法。
（項目９４）
上記検出された新しいユーザ機器装置に、デフォルトのユーザ個人化データを伝送するステップをさらに備える、項目８９に記載の方法。
（項目９５）
上記第１のユーザ機器装置から、上記特定されたユーザ個人化データの要求を受信するステップをさらに備える、項目８９に記載の方法。
（項目９６）
上記ユーザプロファイル情報に関連するユーザが、上記第１のユーザ機器装置にログオンしたことを検出するステップをさらに備える、項目８９に記載の方法。
（項目９７）
上記第１のユーザ機器装置のタイプに関連する上記ユーザ個人化データを特定するステップは、上記第１のユーザ機器装置と同タイプのユーザ機器装置から受信されたデータを特定するステップを備える、項目８９に記載の方法。
（項目９８）
上記第１のユーザ機器装置は、双方向番組ガイドを実現する、項目８９に記載の方法。
（項目９９）
上記ユーザ機器装置のタイプに基づいて、ユーザプロファイル情報をメディアネットワークのユーザ機器装置に提供するためのメディアガイダンスシステムであって、
少なくとも部分的に回路で実現される双方向メディアガイダンスアプリケーションを備え、上記回路は、
ユーザプロファイル情報をサーバ上に保存し、上記保存されたユーザプロファイル情報は、複数のタイプのユーザ機器装置に関連したユーザ個人化データを含み、
複数のタイプのユーザ機器装置の中から、第１のユーザ機器装置の上記タイプを判定し、
上記第１のユーザ機器装置のタイプに関連した上記ユーザ個人化データを特定し、
上記第１のユーザ機器装置に、上記特定されたユーザ個人化データを伝送するように構成される、システム。
（項目１００）
第１のタイプの装置に関連する上記保存されたユーザ個人化データの少なくとも一部を、第２のタイプの装置に関連するユーザ個人化データに変換するように構成される回路をさらに含む、項目９９に記載のシステム。
（項目１０１）
上記サーバ上に保存された上記ユーザプロファイル情報を、上記ネットワークの上記複数のユーザ機器装置からのユーザプロファイル情報に同期させるように構成される回路をさらに備える、項目９９に記載のシステム。
（項目１０２）
上記第１のユーザ機器装置は、上記保存されたユーザプロファイル情報のいずれも有しない新しいユーザ機器装置である、項目９９に記載のシステム。
（項目１０３）
上記サーバ上に保存された上記ユーザプロファイル情報は、ユーザ構成情報を含む、項目９９に記載のシステム。
（項目１０４）
上記検出された新しいユーザ機器装置に、デフォルトのユーザ個人化データを伝送するように構成される回路をさらに備える、項目９９に記載のシステム。
（項目１０５）
上記第１のユーザ機器装置から、上記特定されたユーザ個人化データの要求を受信するように構成される回路をさらに備える、項目９９に記載のシステム。
（項目１０６）
上記ユーザプロファイル情報に関連するユーザは、上記第１のユーザ機器装置にログオンしたことを検出するように構成される回路をさらに備える、項目９９に記載のシステム。
（項目１０７）
上記第１のユーザ機器装置のタイプに関連する上記ユーザ個人化データを特定するように構成される上記回路は、上記第１のユーザ機器装置と同タイプのユーザ機器装置から受信されたデータを特定するように構成される、項目９９に記載のシステム。
（項目１０８）
上記第１のユーザ機器装置は、双方向番組ガイドを実現する、項目９９に記載のシステム。